(57)【要約】      （修正有）【課題】開封率をアップさせ、冊子に印字された個人情報等のセキュリティ性も優れ、申込書や返信用封筒を内蔵させることができる冊子状郵送物を提供する。【解決手段】略同一寸法を有する封書表紙片２と封書裏紙片３との間に、複数枚の中綴じ用紙片４ａ、４ｂが重ね合わされ、封書表紙片と封書裏紙片と複数枚の中綴じ用紙片の一側端縁で接着された綴じ部により一体化され、中綴じ用紙片には、切り取り用ミシン目６により区分けされた封筒部７が綴じ部の反対側に設けられ、封筒部は、切り取り用ミシン目に沿って設けられた粘着剤層と、粘着剤層の上面の剥離テープ９と、粘着剤層が設けられている領域を除いた領域上に重ねられ、且つ粘着剤層が設けられている側を除く三周縁部で接着された封筒上紙１１とを有し、封書表紙片と封書裏紙片は、封書表紙片の三周縁部と、封書裏紙片の三周縁部とが直接重なり合う部分において剥離可能に接着されている。【選択図】図２
2011183666.tif 000002
【特許請求の範囲】
【請求項１】
略同一寸法を有する封書表紙片と封書裏紙片との間に、前記封書表紙片又は前記封書裏紙片よりも縦横寸法が小さなサイズを有する複数枚の中綴じ用紙片が、前記封書表紙片の三周縁部と、前記封書裏紙片の三周縁部とにおいて直接重なり合う領域を残した状態で重ね合わされ、前記封書表紙片と前記封書裏紙片と前記複数枚の中綴じ用紙片の一側端縁で接着された綴じ部により一体化されている冊子付き封書であって、
前記複数枚の中綴じ用紙片のうち少なくとも１枚の中綴じ用紙片には、前記一側端縁部と平行に形成された切り取り用ミシン目により区分けされた封筒部が、前記綴じ部の反対側に設けられ、
前記封筒部は、前記切り取り用ミシン目に沿って設けられた粘着剤層と、前記粘着剤層の上面に剥離可能に貼付された剥離テープと、更に前記粘着剤層が設けられている領域を除いた領域上に重ねられ、且つ前記粘着剤層が設けられている側を除く三周縁部で接着された封筒上紙と、を有し、
前記封書表紙片と前記封書裏紙片は、前記封書表紙片の三周縁部と、前記封書裏紙片の三周縁部と、が直接重なり合う部分において剥離可能に接着されていることを特徴とする冊子状封書。
【請求項２】
前記封書表紙片と、前記封書裏紙片と、前記封筒部が設けられていない中綴じ用紙片と、には、前記冊子状封書の受取人に提供する情報が記載され、前記封筒部が設けられている中綴じ用紙片には、前記受取人が申し込みを行う際に記入する申込欄が表示され、前記封筒部の表面には、前記冊子状封書の差出人の宛先情報が表示されていることを特徴とする請求項１記載の冊子状封書。
【発明の詳細な説明】
【技術分野】
【０００１】
本発明は、説明書や返信用の封筒が冊子状として内蔵されている冊子状封書に関する。
【背景技術】
【０００２】
従来、商品やサービスの内容を記載した冊子は、ダイレクトメールなどとして種々の業界で広く利用されている。
例えば通信会社では、顧客に対して商品の紹介として利用したり、また過去に製品を購入した顧客の情報に基づいて、販売促進を行うために冊子状のダイレクトメールを送ったりすることもある。
特にダイレクトメールを利用する際において重要な点は、まずそのダイレクトメールの受取人による開封率をアップさせることがあげられる。
【０００３】
これらのダイレクトメールでは、顧客が要求しない送付物を送ることが多いため、受け取った顧客がダイレクトメールを開封しないで内容も見ずに廃棄してしまう傾向がある。
したがって、ダイレクトメールの送り主側としては、販売促進上の第一段階として、まず顧客にダイレクトメールの封筒を開けてもらい、内容を見てもらうようにすることが重要となることから、開封率をアップさせるような工夫が求められている。
【０００４】
このため開封率を上げるための技術として、例えば圧着式のハガキ（参考文献１を参照。）等が利用されており、郵送物を容易に開封できることから、開封率の向上が期待されるが、２枚のシートが貼り合わされた状態であるため、紙面の制約があり、例えば、申込書、返信用封筒、等を同封して送りたい場合等には使用することができないという問題がある。
【０００５】
また、紙面を増やし、容易に開封可能な冊子状送付物としては、例えば参考文献２〜４に記載されているような技術があるが、参考文献２は冊子の上端と下端が接着されていないため、冊子内に個人情報などが記載されている場合、盗み見られる可能性があるという問題がある。
【０００６】
更に参考文献３、４では、二つ折りされる表表紙片および裏表紙片の間に小冊子本体を挟み込んで取り付けるために、中綴じ用の金具が必要であったり、二つ折りされる表表紙片および裏表紙片の間に小冊子本体を挟み込んで取り付ける中綴じ工程を行うための高価な製造設備が必要であるなどの問題がある。
【先行技術文献】
【特許文献】
【０００７】
【特許文献１】特開平１０−２６４５５７号公報
【特許文献２】特開２００６−２７２９５５号公報
【特許文献３】特開平９−３９４５０号公報
【特許文献４】特開平７−２７７３４４号公報
【発明の概要】
【発明が解決しようとする課題】
【０００８】
そこで、本発明は、上記の課題に鑑みてなされたものであり、受取人における封書の開封率をアップさせることができ、申込書や返信用封筒を内蔵させることができる冊子状郵送物を提供することを目的とする。
【課題を解決するための手段】
【０００９】
本発明の冊子状封書は、略同一寸法を有する封書表紙片と封書裏紙片との間に、前記封書表紙片又は前記封書裏紙片よりも縦横寸法が小さなサイズを有する複数枚の中綴じ用紙片が、前記封書表紙片の三周縁部と、前記封書裏紙片の三周縁部とにおいて直接重なり合う領域を残した状態で重ね合わされ、前記封書表紙片と前記封書裏紙片と前記複数枚の中綴じ用紙片の一側端縁で接着された綴じ部により一体化されている冊子付き封書であって、前記複数枚の中綴じ用紙片のうち少なくとも１枚の中綴じ用紙片には、前記一側端縁部と平行に形成された切り取り用ミシン目により区分けされた封筒部が、前記綴じ部の反対側に設けられ、前記封筒部は、前記切り取り用ミシン目に沿って設けられた粘着剤層と、前記粘着剤層の上面に剥離可能に貼付された剥離テープと、前記粘着剤層が設けられている領域を除いた領域上に重ねられ、且つ前記粘着剤層が設けられている側を除く三周縁部で接着された封筒上紙と、を有し、前記封書表紙片と前記封書裏紙片は、前記封書表紙片の三周縁部と、前記封書裏紙片の三周縁部と、が直接重なり合う部分において剥離可能に接着されていることを特徴とする。
【００１０】
また、本発明の冊子状封書は、前記封書表紙片と、前記封書裏紙片と、前記封筒部が設けられていない中綴じ用紙片と、には、前記冊子状封書の受取人に提供する情報が記載され、前記封筒部が設けられている中綴じ用紙片には、前記受取人が申し込みを行う際に記入する申込欄が表示され、前記封筒部の表面には、前記冊子状封書の差出人の宛先情報が表示されていることを特徴とする。
【発明の効果】
【００１１】
したがって、本発明の冊子状封書は、封筒部が内蔵され、封書表紙片と封書裏紙片の三周縁部が直接重なり合う部分において剥離可能に接着され、簡単に封書表紙片と封書裏紙片を剥離して開封することができるので、受取人における封書の開封率をアップさせることができ、申込書や返信用封筒を内蔵させることができるという効果がある。
【図面の簡単な説明】
【００１２】
【図１】本発明の実施形態に係る冊子状封書の斜視図である。
【図２】本発明の実施形態に係る冊子状封書の封書表紙片をめくり上げた状態を示す斜視図である。
【図３】本発明の実施形態に係る冊子状封書の各紙片を分離させた状態を示す斜視図である。
【図４】図１のＡ−Ａ線断面図である。
【図５】図１のＢ−Ｂ線断面図である。
【図６】本発明の実施形態に係る冊子状封書の封書表紙片をめくり上げ、封筒部を切り離した状態を示す斜視図である。
【図７】本発明の実施形態に係る冊子状封書の封筒部を密封させた状態を示す斜視図である。
【発明を実施するための形態】
【００１３】
以下、本発明の実施形態に係る冊子状封書を図面に基づいて詳細に説明する。
図１及び図２に示すように、本発明の実施形態に係る冊子状封書１は、略同一寸法を有する封書表紙片２と封書裏紙片３との間に、前記封書表紙片２又は前記封書裏紙片３よりも縦横寸法が小さなサイズを有する複数枚の中綴じ用紙片４ａ，４ｂが重ね合わされた構成を有している。
そして、複数枚の中綴じ用紙片４ａ，４ｂの縦横寸法は、封書表紙片２の三周縁部と、封書裏紙片３の三周縁部とが、直接接触して重なり合う三周縁の領域が設けられるにして各紙片が重ね合わすことができる寸法を有する。
【００１４】
また、封書表紙片２と封書裏紙片３と複数枚の中綴じ用紙片４ａ，４ｂとは、それら紙片の左側の一側端縁において、それぞれが接着剤５により接着された綴じ部により一体化されている。
また、図３に示すように、複数枚の中綴じ用紙片４ａ，４ｂのうち少なくとも１枚の中綴じ用紙片４ｂには、前記紙片の左側の一側端縁部と平行に形成された切り取り用ミシン目６により左右に区分けされ、切り取り用ミシン目６に対して、強接着用の接着剤５により接着された綴じ部側と反対側の部分に封筒部７が設けられている。
【００１５】
この封筒部７は、図４に示すように、切り取り用ミシン目６に沿って設けられた粘着剤層８と、前記粘着剤層８の上面に剥離可能に貼付された剥離テープ９とが設けられている。
また、封筒部７は、前記粘着剤層８が設けられている領域を除いた領域上に、粘着剤層８が設けられている側を除く三周縁部で接着剤１０により接着された封筒上紙１１が設けられており、これにより一辺開封型の封筒を形成している。
したがって、封筒部７は、一辺の開封口から封入物を入れた後に、剥離テープ９を剥離させて粘着剤層８が設けられた部分を折り曲げることで、粘着剤層８により密封状態にすることができる。
【００１６】
また、中綴じ用紙片４ｂにおいて、封筒部７のサイズは任意に設定すればよく、封筒部７を大きなサイズで設けたい場合には、切り取り用ミシン目６の形成位置をより左側に形成すればよく、封筒部７を小さなサイズで設けたい場合には、切り取り用ミシン目６の形成位置をより右側に形成すればよい。
【００１７】
封書表紙片２と封書裏紙片３は、封書表紙片２の三周縁部と、封書裏紙片３の三周縁部と、が直接重なり合う部分において剥離可能な擬似接着剤１２により剥離可能に接着されている。
この剥離可能な擬似接着剤１２は、封書表紙片２と封書裏紙片３を分離させたい場合には、引き剥がせる状態で接着されているものである。
【００１８】
また、冊子状封書１を開封する際に便利にするために、図２に示すように封書表紙片２の１つの角部には開封箇所を明確にするために、「ＯＰＥＮ」という表示が印刷されており、この「ＯＰＥＮ」表示部分１３からめくり上げて開封させるようになっている。
また、封書表紙片２の三周縁部と、封書裏紙片３の三周縁部と、を剥離可能に接着する擬似接着剤１２は、図２に示すように「ＯＰＥＮ」という表示がされている封書表紙片２と封書裏紙片３の１つの角部の領域を除いて設けることが好ましい。
これにより紙片の角部を指でつまんで簡単に開封させることができる。
この場合は、冊子状封書１を手渡しする配布用封筒として用いる場合に適する。
【００１９】
また、冊子状封書１を郵送用封筒として用いる場合には、郵送時に他の郵便物が冊子状封書１の擬似接着剤１２が設けられていない角部に挟み込まれるトラブルを予防するためにも、封書表紙片２の三周縁部と、封書裏紙片３の三周縁部と、を全て剥離可能に接着する擬似接着剤１２により接着させておくことが好ましい。
更に、封書表紙片２の表面に郵送先の宛先情報を表示してもよい。
【００２０】
封書表紙片２と、封書裏紙片３と、封筒部７が設けられていない中綴じ用紙片４ａと、には、冊子状封書１の受取人に提供する所望の説明内容情報などが記載されている。
また、封筒部７が設けられている中綴じ用紙片４ｂには、冊子状封書１の受取人が申し込みを行う際に記入する申込欄１３などが表示されている。
更に、中綴じ用紙片４ｂには、強接着するために使用する接着剤５により接着された綴じ部に沿って、切り取りミシン目１５が形成されている。
【００２１】
中綴じ用紙片４ｂは、使用の際に切り取りミシン目１５から全体を切り取った後に申込欄１３に必要事項の記入を行い、更に切り取り用ミシン目６から封筒部７を切り取って申込欄１３の部分を封入してもよいし、切り取り用ミシン目６から封筒部７を切り取った後に、申込欄１３に必要事項の記入を行い、切り取りミシン目１５から申込欄１３の部分を切り取り封入するようにしてもよい。
また、封筒部７の表面には、冊子状封書１の差出人の宛先情報が表示されている。
【００２２】
封書表紙片２及び封書裏紙片３、中綴じ用紙片４ａ，４ｂに使用する材料としては、例えば、上質紙、コート紙、複写用紙、クラフト紙等、合成紙、ＰＥＴ、ＰＰ等があり、特に限定されないが、擬似接着剤を構成する材料との相性及び冊子状送付物の用途により適宜選択することができる。
【００２３】
封書表紙片２の三周縁部と、封書裏紙片３の三周縁部とを剥離可能な状態で接着する擬似接着剤１２としては、例えば、シリコーンを添加した紫外線硬化型オフセットインキとアクリル系エマルション型接着剤の構成や、鉱油を添加したエステル系樹脂、パラフィンワックスを添加したアクリル酸エステル系樹脂などを使用することができる。
【００２４】
いずれにしても、封書表紙片２の三周縁部において郵送中に剥離することなく、開封時に材破することなく開封できる構造となっていればよい。
【００２５】
また、封書表紙片２、中綴じ用紙片４ａ，４ｂ及び封書裏紙片３を強接着するために使用する接着剤５を構成する材料としては、アクリル系樹脂、酢酸ビニル系樹脂、ＥＶＡ系樹脂、ウレタン系樹脂などのエマルジョン接着剤などを使用することができる。
【００２６】
また、封書表紙片２と封書裏紙片３との間に、挟まれている中綴じ用紙片４ａ，４ｂは、上記したように２枚に限定されるものではなく、使用者の必要に応じて３枚以上を重ね合わせて設けることができ、それらの中綴じ用紙片に振込用紙などを設けてもよい。
本発明の冊子状封書１は、図１に示すように横長の形状に限定されるものではなく、縦長の形状であってもよい。
【００２７】
次に、本発明の冊子状封書１の使用方法について説明する。
冊子状封書１は、図１に示すように封書表紙片２の三周縁部と、封書裏紙片３の三周縁部と、が直接接触状態で重なり合う部分において、剥離可能な擬似接着剤１２により剥離可能に接着されている密封状態で配布や郵送が行われる。
【００２８】
次に、冊子状封書１の受取人は、図２に示すように封書表紙片２の角部の「ＯＰＥＮ」表示部分１３から指で紙片を摘んでめくり上げて開封させる。
そして、開封した受取人は、封書表紙片２の裏面や、中綴じ用紙片４ａ，４ｂ及び封書裏紙片３などに記載されている内容を読んだ後に、受取人が、それらの内容に基づいて申し込みを行なう場合には中綴じ用紙片４ｂの申込欄１３に必要事項を記入する。
【００２９】
次に、図６に示すように中綴じ用紙片４ｂに形成されている切り取り用ミシン目６，１５から中綴じ用紙片４ｂを切り取り、更に、図７に示すように中綴じ用紙片４ｂの申込欄１３の部分を封筒部７に入れた後に、剥離テープ９を剥離させて紙片の一部を折り曲げて粘着剤層８により折り曲げ部分を貼付させて密封状態にする。
その後、密封状態にした封筒部７を、郵便ポストに投函して郵送、または手渡しで配布する。
【００３０】
上記のように、本発明の冊子状封書１は、「ＯＰＥＮ」表示部分１３を指で摘んでめくり上げることで、擬似接着剤１２の部分から簡単に開封させることができるので、従来の封筒よりも受取人が気軽に開封することができ、ダイレクトメールのような封筒でも開封率をアップさせることができるように構成されている。
【００３１】
また、冊子状封書１の内部に申込書や返信用封筒が備えられているので、受取人が直ぐに申込書や返信用封筒を用いて申し込みの処理を行うことができるように構成されている。
【符号の説明】
【００３２】
１  冊子状封書
２  封書表紙片
３  封書裏紙片
４ａ，４ｂ  中綴じ用紙片
５，１０  接着剤
６，１５  切り取り用ミシン目
７  封筒部
８  粘着剤層
９  剥離テープ
１１  封筒上紙
１２  擬似接着剤
１３  「ＯＰＥＮ」表示部分
１４  申込欄
【図１】
2011183666.tif 000003
【図２】
2011183666.tif 000004
【図３】
2011183666.tif 000005
【図４】
2011183666.tif 000006
【図５】
2011183666.tif 000007
【図６】
2011183666.tif 000008
【図７】
2011183666.tif 000009